(57)【特許請求の範囲】
【請求項１】
遮蔽位置と非遮蔽位置に各々対応する二つの端位置間の窓の運転のうち一方向への運動が、窓主枠又はサッシ部材（７、２２）に対して平行に取り付けられた少なくとも一つの巻き取りドラム（５、６；２５、２６）を介して遮蔽装置に接続された引っ張りコード又は紐（３、４；２３、３４）を巻き取ることにより行われ、前記ドラムが電気駆動モータ（９、２９）と接続されるモータ軸（８、２８）上にあり、それに対して反対方向への運動が、巻き取りドラム（５、６；２５、２６）から前記引っ張りコードまたは紐（３、４；２３、２４）を同時に巻きほどく一定の力によつて行われ、その端部停止装置がセンサ（１７、３２）の作動により前記反対方向の運動の間にモータ電流を中断する接点（１１、３１）を有しており、駆動モータ（９、２９）と前記接点及びセンサが前記窓主枠またはサツシ部材（７、２２）内にまたはその近くに位置決めされる型の電気作動の窓遮蔽装置用端部停止装置において、モータ軸（８、２８）が前記運動方向と実質上平行な平面に軸承され、巻きほどき運動と巻き取り運動の最中の作動位置と非作動位置との間で前記モータ軸が、モータ（９、２９）との結合部またはその付近において回転軸に対して制限範囲内で傾斜することができ、センサが接点（１１、３１）に属する接点部材（１７、３２）を有すると共に軸部（８、２８）に隣接しており且つモータから距離をおいて設けられ、軸（８、２８）は前記引っ張りコード又は紐（３、４；２３、２４）によって軸に作用される外力の方向の反対方向である前記非作動位置に向かってばねバイアスされていることを特徴とする端部停止装置。
【請求項２】
前記接点部材（１７、３２）が、モータ軸に作用する前記ばね力を得るためにばねバイアスされていることを特徴とする請求の範囲第１項に記載の端部停止装置。
【請求項３】
窓を遮蔽する方向への巻きほどく動作が、下向きの力、特に重力によってなされる遮蔽装置、特にプリーツ付きブラインド、ベネチアンブラインドまたは同様な装置において、巻き取りドラム（５、６）、モータ軸（８）を備えた駆動モータ（９）、および接点部材（１７）を備えた前記接点（１１）が窓主枠またはサツシ部材（７）の上部に位置決めされることを特徴とする請求の範囲第１項または第２項に記載の端部停止装置。
【請求項４】
窓を非遮蔽の方向へ巻き取る動作が、ばね力によってなされるローラブラインドまたは同様な形状の遮蔽装置において、巻き取りドラム（２５、２６）、モータ軸（２８）を備えた駆動モータ（２９）、および接点部材（３２）を備えた接点（３１）が窓主枠またはサツシ部材（２２）の下部に位置決めされることを特徴とする請求の範囲第１項または第２項に記載の端部停止装置。
【発明の詳細な説明】
技術分野
本発明は、遮蔽位置と非遮蔽位置に各々対応する二つの端位置間の窓の運動のうち一方向への運動が、窓主枠又はサッシ部材に対して平行に取り付けられた少なくとも一つの巻き取りドラムを介して遮蔽装置に接続された引っ張りコード又は紐を巻き取ることにより行われ、前記ドラムが電気駆動モータと接続されるモータ軸上にあり、それに対して反対方向への運動が、巻き取りドラムから前記引っ張りコードまたは紐を同時に巻きほどく一定の力によつて行われ、その端部停止装置がセンサの作動により前記反対方向の運動の間にモータ電流を中断する接点を有しており、駆動モータと前記接点及びセンサが前記窓主枠またはサツシ部材内にまたはその近くに位置決めされる型の電気作動の窓遮蔽装置用端部停止装置に関する。
従来技術
デンマーク特許公告第１５８０５４Ｂ号は、電気駆動モータが窓サツシの水平頂部上かまたはその中に組み込まれるベネチアンブラインド用電気駆動機構を開示している。ベネチアンブラインドを巻き上げるときのモータ電流を検出し、ベネチアンブラインドの底部レールが最上位置に到達すると、検出電力が予め決めてあるしきい値を越え、そのときリセット回路が駆動されてモータ電流は遮断される。
ベネチアンブラインドを下降するときの端部停止を得るために、この公知の方法によると、底部レールが最下位置に到達するとき、サッシュ底部に設けられたリード接点がベネチアンブラインドの底部レールに取り付けられた磁石による影響を受けることで、モータへの電力供給の遮断が行われる。
電気ワイヤ接続が、サツシ底部に又はその中にあるリード接点とサツシの頂部部分のモータ装置との間に確立されねばならいという実際の不都合に加えて、公知の駆動機構では底部レールが障害物、例えば鉢植えに出くわす場合に下降の中間位置においてベネチアンブラインドを自動的に停止させることができない。
そのうえ、公知の駆動機構は、例えば、巻きほどく運動がモータで駆動され、一方巻き取る運動が一定のばね力によつて行われるローラブラインドのような他の形状の遮蔽装置には適さない。
デンマーク特許公告第１４４８９４Ｂ号から、ベネチアンブラインド用の電気作動装置が知られており、そこでは、上向および下向両運動において駆動モータを停止するためのリミツト接点が、ベネチアンブラインドの頂部リストに設けられたモータケーシング内に取り付けられ、接点用作動装置がモータケーシングに軸承かつ案内され、モータケーシングを通って突出しかつ頂部位置においてベネチアンブラインドの底部レール用の受け台として作用するピンを有し、前記ピンに突出センサレバーが固定され、前記レバーがベネチアンブラインドの引っ張りコードまたは紐によつて影響を及ぼされ、かつコードまたは紐が底部位置において底部レールの停止において緩められるとき接点を駆動する。
この実施例は装置に関して簡単化を示すが、比較的複雑な接点装置を必要としかつモータケーシングから突出する作動部材により審美的に魅力が少ない。
発明の開示
本発明の目的は、駆動モータおよび端部停止装置の全ての部分が、突出する作動部材を除いて、窓主枠またはサツシの全く同一の水平部分に組み込まれることができる、前記した従来のものより簡単化された端部停止装置を提供することにあり、かつ、ベネチアンブラインド、プリーツの付いたブラインド、ローラシヤツタ、ローラブラインド、虫除けスクリーン等のようなあらゆる種類の窓遮蔽装置に適する端部停止装置を提供することにある。
このために、本発明による端部停止装置は、モータ軸が前記運動方向と実質上平行な平面に軸承され、巻きほどき運動と巻き取り運動の最中の作動位置と非作動位置との間で前記モータ軸が、モータとの結合部又はその付近において回転軸に対して制限範囲内で傾斜することができ、センサが接点に属する接点部材を有すると共に軸部に隣接しており且つモータから距離をおいて設けられ、軸は前記引っ張りコード又は紐によって軸に作用される外力の方向の反対方向である前記非作動位置に向かってばねバイアスされていることを特徴とする。
本発明による装置において、接点は、例えばモータ制御回路へのリセット命令によりモータ電流を遮断するように作動され、そしてばねバイアスされた接点部材は、遮蔽装置が当該端部位置を取るかまたはその運動の間中何らかの障害に出くわすとき、引っ張りコードまたは紐を緩めることによりモータ軸を非作動位置へ傾斜させる。
本発明による装置は、使用される遮蔽装置の形状に依存する窓主枠またはサッシの頂部部分または底部部分に隠れた状態で設けられ得る少ない単一部材からなり、外観的にシンプルな構成を有することにより特徴づけられる。
【図面の簡単な説明】
第１図ないし第４図は、下向きの力、例えば重力によつて作動される、プリーツ付き層またはベネチアンブラインドのごとき遮蔽装置に使用される本発明による端部停止装置の実施例を示す図、
第５図はローラブラインドのごときばねバイアスされた遮蔽装置に使用される端部停止装置の実施例を示す図である。
発明を実施するための最良の形態
第１図ないし第４図に示される実施例は、例えば、ベネチアンブラインドまたはプリーツ付きブラインド等の形状の窓遮蔽装置を適用したもので、図３には、底部レール１が遮蔽装置の下端部に降ろされて窓が遮蔽され、完全に窓主枠またはサッシ部材の下端に当接した状態が略示されている。底部レール１は、一端を底部レールに、他端を窓主枠かサッシの上端にそれらに対して平行に壁７に設けられた巻き取りドラム５、６に固定された、引っ張りコード又は紐３、４によってつり下げられている。
巻き取りドラム５、６は、やはり窓主枠又はサッシ７に設けられた駆動モータ９に駆動接続されたモータ軸８に設けられている。
図示実施例において、遮蔽装置の下降は、コード３、４をドラム５、６から巻きほどくときに生じる、第１図に矢印１０で示される方向の、ばね力や他の力の影響により補強され得る下向きの力、特に重力によってなされ、これに対して遮蔽装置の上昇は前記力に抗してモータ９によつて単に実施される。
底部レール１が窓主枠またはサツシ部材７と当接する完全に上昇された位置におけるモータ電流の遮断は、代表的には前述したデンマーク特許公告第１５８０５４Ｂ号に記載されているように、モータ電流を検出し、予め定めた値を超えるときリセツト回路を駆動してモータ電流の遮蔽を行うことができる一方、図３に示されるように遮蔽装置を端位置に下降させて、底部レール１が窓枠部又はサッシ部材２の底部に当接するとき、例えば、ケーブル接続１３によって電力を供給されるモータ９のための図示されないモータ制御回路にケーブル接続１２され得るマイクロスイッチなどのコンタクト１１を有する端部停止装置によってモータ電流は中断される。
第３図に示されるように、遮蔽装置を下降させていく間、底部レール１が窓主枠またはサツシ部材２の下部に当接するか、又は、例えば鉢植えのような他の障害物に接触するとき、以下の例に示すように接点１１はセンサによって作動され、それによってモータ電流は遮断される。
巻き取りドラム５および６およびモータ軸８は図示実施例において第３図および第４図に示されるごとくモータ軸８用のスロツト１６を備える支持ブラケツト１４および１５に軸承される。
モータ軸８は本発明によれば、遮蔽装置の下降および上昇の可動方向と実質上平行な平面、すなわち、図に示される平面に軸承され、駆動モータ９との接続部またはその付近で、回転軸線に対して角度ｖをもたらす、スロット１６の外延によって制限された傾斜運動をすることができる。
モータ軸８はかくして引っ張りコード３及び４の巻き戻しおよび巻き取り動作中の第１図に示される作動位置から、第３図に示される非作動位置に移動され得る。傾斜運動は本発明によれば、モータ９から一定の距離に、例えばモータ９から最も遠くに位置決めされる支持ブラケツト１４に位置決めされた軸８の１部分に当接している接点部材１７を備えている接点１１によつて作動される。図示実施例において、実際の接点部材１７は引っ張りコード３および４による外力の反対方向に軸８上にばね力を発生するようにばねバイアスされる。このばね力は、しかしながら、やはり軸８の下に位置決めされる別個の、調整可能なばねによつて発生され得る。
遮蔽装置の下降の間、底部レール１が窓主枠またはサツシ部材２の下部に当接するかまたはまたは他の障害物に接触して停止するとき、コード３、４は緩められ、モータ軸８上の負荷は減少するか取り除かれ、それによってモータ軸８は図３に示されるようにばねバイアスされた接触部材１７により傾斜される。
第５図に示されるように、本発明はまた例えば、ローラブラインド布やローラシャッタのスラットのように柔軟な遮蔽布をばねバイアスされたローラー２０の一定のばね力によって巻き取るローラブラインドやローラシャッタなどの型の遮蔽装置１８との結合に適用される。
巻きほどきは窓主枠またはサツシ部材２２の下方に位置決めされた電気駆動装置によつてなされその装置は原則として第１図ないし第４図に示されるものと同一方法において設計され、コード２３、２４を巻き取るための二つの巻き取りドラム２５、２６を有し、図示される実施例のように、１本のコードが底部レールの中を通り、平行四辺形を確保する。ドラム２５、２６は駆動モータ２９に接続されたモータ軸２８上に設けられている。図示実施例のように、ドラム２５、２６及びモータ軸２８は、モータ軸に働くコードの力と平行な方向の図示されないスロットを備えた共通の支持ブラケット内に軸承されている。上記された方法と同様にモータ軸は、端部停止接点３１中のばねバイアスされた接点部材３２又は軸の下に位置決めされた調整可能なばねによって傾斜されるように設計してもよいが、この場合はコード２３、２４を引き締めることによって行われる。
【図１】
0003773953.tif 000002
【図２】
0003773953.tif 000003
【図３】
0003773953.tif 000004
【図４】
0003773953.tif 000005
【図５】
0003773953.tif 000006